【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
少なくとも１つの入口開口部（１０２）を備えたカートリッジ上部部分（１０１）、少なくとも１つの出口開口部（１１３）を備えたカートリッジ下部部分（１１０）、及び封止用リム（１６０）を有するフィルタカートリッジ（１００）と、
周囲の壁（１１）、漏斗底面壁（１２）、及びこの漏斗底面壁（１２）に配置され、中に前記フィルタカートリッジ（１００）を上方から取り付けることができる受け入れ開口部（１３）を備えている入口漏斗（１０）と、を具備し、
前記フィルタカートリッジ（１００）の封止用リム（１６０）は、前記受け入れ開口部（１３）の端部に支持され、周囲の壁（１５）、底面壁（１６）及び少なくとも１つの流出開口部（１７）を備えた受け入れチャンバ（１４）が、前記受け入れ開口部から下向きに延びている、液体のろ過のための装置において、
前記入口漏斗（１０）は、前記受け入れ開口部（１３）の下方に、少なくとも１つの第１の固定手段（３０）を有し、
前記フィルタカートリッジ（１００）は、前記封止用リム（１６０）の下方で、この封止用リムから離れたところに、少なくとも１つの第２の固定手段（１３０）を有し、この第２の固定手段は、前記フィルタカートリッジ（１００）が前記受け入れ開口部（１３）の中に取り付けられるときに、前記第１の固定手段（３０）と相互に作用し、この結果、前記固定手段（３０、１３０）は、前記フィルタカートリッジの位置を規定し、
少なくとも１つの固定手段（３０、１３０）が、前記フィルタカートリッジ（１００）により供給される流量を減少させるために、絞り装置（２００、２００’）を形成していることを特徴とする装置。
【請求項２】
前記絞り装置（２００、２００’）は、前記フィルタカートリッジ（１００）により供給される流れの量を、０％乃至９５％より大きく減少することを特徴とする請求項１に係る装置。
【請求項３】
前記絞り装置（２００、２００’）は、所定のフィルタカートリッジ（１００）に対して、適当なディメンジョンの受け入れチャンバ（１４）を選択することにより、設定されることができることを特徴とする請求項１又は２に係る装置。
【請求項４】
前記受け入れチャンバ（１４）の流出開口部（１７）は、前記フィルタカートリッジ（１００）の出口開口部（１１３）の上方に配置されることを特徴とする請求項１乃至３のいずれか１に記載の装置。
【請求項５】
前記フィルタカートリッジ（１００）は、軸方向に前記受け入れ開口部（１３）の中に取り付けられることができることを特徴とする請求項１乃至４のいずれか１に係る装置。
【請求項６】
前記第２の固定手段（１３０）は、前記フィルタカートリッジ（１００）の下半分の領域に配置されていることを特徴とする請求項４又は５に係る装置。
【請求項７】
前記第２の固定手段（１３０）は、前記フィルタカートリッジ（１００）の下三分の一の領域に配置されていることを特徴とする請求項６に係る装置。
【請求項８】
前記第２の固定手段（１３０）は、前記フィルタカートリッジ（１００）の底面壁（１１２）の領域に配置されていることを特徴とする請求項６又は７に係る装置。
【請求項９】
前記第１の並びに／もしくは第２の固定手段（３０、１３０）は、スペーサ部材並びに／もしくは案内部材並びに／もしくはラッチ部材であることを特徴とする請求項５乃至９のいずれか１に係る装置。
【請求項１０】
前記固定手段（３０，１３０）は、突起又は凹部であることを特徴とする請求項５乃至９のいずれか１に係る装置。
【請求項１１】
前記突起又は凹部は、円筒形状、円錐形状、又は円錐台形状であることを特徴とする請求項１０に係る装置。
【請求項１２】
前記ラッチ部材は、ラッチ用突起（３８）、ラッチ用凹部（１３８）、又は円形の隆起（３４、１３５）であることを特徴とする請求項９乃至１１のいずれか１に係る装置。
【請求項１３】
前記受け入れチャンバ（１４）の底面壁（１６）は、少なくとも１つの第１のくぼみを有し、前記フィルタカートリッジ（１００）の底面壁（１１２）は、少なくとも１つの第２のくぼみ（１３１）を有し、この第２のくぼみは、前記第１のくぼみ（３１）に係合することを特徴とする請求項１乃至１２のいずれか１に係る装置。
【請求項１４】
前記第１及び第２のくぼみ（３１、１３１）は、少なくとも部分領域で互いに離間されて配置されていることを特徴とする請求項１３に係る装置。
【請求項１５】
前記第１のくぼみ（３１）は、前記受け入れチャンバ（１４）の底面壁（１６）に一体的に形成されている、円筒形状又は円錐台形状の中空体（３２）であり、内側に向き、その自由端（３３）に配置され、円弧の形状で少なくとも１つの流出開口部（１７）を開いている、少なくとも１つの内側に向いている第１の隆起（３４）を有していることを特徴とする請求項１３又は１４に係る装置。
【請求項１６】
マンドレル（１３２）が、外側に、円弧の形状の少なくとも１つの第２の隆起（１３５）を有し、この第２の隆起は、前記フィルタカートリッジ（１００）の取り付けの間に前記第１の隆起（３４）に係合することを特徴とする請求項１５に係る装置。
【請求項１７】
前記中空体（３２）とマンドレル（１３２）とは、中心に配置されていることを特徴とする請求項１５又は１６に係る装置。
【請求項１８】
前記受け入れチャンバ（１４）は、底面壁及び周囲の壁（１５、１６）の領域に前記第１のくぼみ（３１）を有し、
前記フィルタカートリッジ（１００）は、同様に、周囲の壁及び底面壁（１１１、１１２）に前記第２のくぼみ（１３１）を有することを特徴とする請求項１乃至１２のいずれか1に係る装置。
【請求項１９】
前記第１及び第２のくぼみ（３１、１３１）は、形状が立方体形状にデザインされていることを特徴とする請求項１８に係る装置。
【請求項２０】
前記第１のくぼみ（３１）は、その複数の側壁のうちの２つ（４０、４１）に第１のラッチ手段を有し、前記第２のくぼみは、その複数の側壁のうちの２つ（１４０、１４１）に第２のラッチ手段を有することを特徴とする請求項１８又は１９に係る装置。
【請求項２１】
前記封止用リム（１６０）は、一体式のヒンジ（１６２）を介して、２つの前記カートリッジ部分（１０１、１１０）のうちの一方に接続されているスナップ動作のリム（１６１）であり、このスナップ動作のリム（１６１）は、第１の下方のスナップ動作の位置から第２の上方のスナップ動作の位置へと反転されることができ、また、この逆も可能であり、
前記漏斗底面壁（１２）は、中にこのスナップ動作のリム（１６１）が、その第２のスナップ動作の位置ではめ込まれ、前記受け入れ開口部（１３）を囲んでいる、封止用座部（６０）を有していることを特徴とする請求項１乃至２０のいずれか１に係る装置。
【請求項２２】
前記カートリッジ上部部分（１０１）は、外側に面した第１の固定用フランジ（１２０）を有し、前記カートリッジ下部部分（１１０）は、外側に面した第２の固定用フランジ（１２１）を有し、これら固定用フランジを介して、２つの前記カートリッジ部分（１０１、１１０）は、接続され、
前記スナップ動作のリム（１６１）は、前記一体式のヒンジ（１６２）を介して２つの前記固定用フランジ（１２０、１２１）の一方に接続されていることを特徴とする請求項２１に係る装置。
【請求項２３】
前記封止用座部（６０）は、内側に開いたアバットメント部分（６２）を備えた円錐状に突出したリム部分（６１）に結合し、前記スナップ動作のリム（１６１）の外側端（１６４）は、このアバットメント部分（６２）に係合することを特徴とする請求項２１又は２２に係る装置。
【請求項２４】
前記アバットメント部分（６２）は、溝（６３）であることを特徴とする請求項２３に係る装置。
【請求項２５】
前記アバットメント部分（６２）は、少なくとも１つの斜面を備えた段（６４）であることを特徴とする請求項２３に係る装置。